(57)【特許請求の範囲】
【請求項１】
一導電性線状体の先端に取り付けられた第１の端子を所定の位置に係止して収納する第１の端子収納部と、該第１の端子に押圧力を印加して所定の方向へ変位させる第１の押圧作用部と、所定の導電性部材の一部が内面に露出する凹部とを有する第１の結合部材と、
他の導電性線状体の先端に取り付けられた第２の端子を所定の位置に係止して収納する第２の端子収納部と、該第２の端子に押圧力を印加して所定の方向へ変位させる第２の押圧作用部と、前記第１の結合部材の凹部に係合する凸部とを有する第２の結合部材と、
前記第１の結合部材の凹部と前記第２の結合部材の凸部が係合した際に、前記第１及び前記第２の押圧作用部に共通に作用して、前記第１及び第２の端子を前記所定の導電性部材に共通に接触するように変位させる押圧部材とを具備したことを特徴とするコネクタ。
【請求項２】
請求項１記載のコネクタにおいて、前記押圧部材が、前記第１の押圧作用部にのみ作用する第１の押圧部材と、前記第２の押圧作用部にのみ作用する第２の押圧部材とから構成されていることを特徴とするコネクタ。
【請求項３】
所定の導電性部材の一部が内面に露出し、かつ第１の押圧部材が突出して形成された第１の凹部と、前記所定の導電性部材の他の一部が内面に露出し、かつ第２の押圧部材が突出して形成された第２の凹部とを有する中間結合部材と、
一導電性線状体の先端に取り付けられた第１の端子を所定の位置に係止して収納する第１の端子収納部と、前記中間結合部材の第１の凹部に係合する凸部と、該凸部と前記中間結合部材の第１の凹部が係合した際に、前記第１の押圧部材が作用して前記第１の端子を前記所定の導電性部材に接触するように変位させる第１の押圧作用部とを有する第１の結合部材と、
他の導電性線状体の先端に取り付けられた第２の端子を所定の位置に係止して収納する第２の端子収納部と、前記中間結合部材の第２の凹部に係合する凸部と、該凸部と前記中間結合部材の第２の凹部が係合した際に、前記第２の押圧部材が作用して前記第２の端子を前記所定の導電性部材に接触するように変位させる第２の押圧作用部とを有する第２の結合部材とを具備したことを特徴とするコネクタ。
【発明の詳細な説明】
【０００１】
【発明の属する技術分野】
本発明はワイヤーハーネス等の導電性線状体の電気的接続を行なうコネクタの構造に関する。
【０００２】
【従来の技術】
近年、車両への電子機器の搭載が進み、ワイヤーハーネスを構成する電線数が増加しており、ワイヤーハーネス本体と各電子機器との良好な電気的接続の確保が望まれる。例えば、マイクロコンピュータ（マイコン）により制御されるエンジンシステムにおいては、マイコンとセンサー等の各種電子機器との接続に際し、各電子機器毎にグループ分けされた入出力電線を多段式のコネクタ等を利用して一括して接続する方法が採用されている。
【０００３】
従来のコネクタの概略構成図を図５に示して説明する。図５（ａ）に示すように、コネクタ１０は、ハウジング１１内に所定の電線１ａ端に圧着された雄側端子２ｃを収納して構成される。雄側端子２ｃは、コネクタ２０と係合する凹部（係合凹部）１５内に先端部分が突出するようにハウジング１１の所定の収納部１２内に設けられた係止突起３ａにより係止固定されている。また、コネクタ２０は、ハウジング２１の外形形状の一部にコネクタ１０の係合凹部１５と係合する凸部を有するとともに、ハウジング２１内に所定の電線１ｂ端に圧着された雌側端子２ｄを収納して構成される。雌側端子２ｄは、ハウジング２１の所定の収納部２２内に設けられた係止突起３ｂにより係止固定されている。そして、雄側端子２ｃ及び雌側端子２ｄは各々のハウジング１１及び２１への係止状態を保持するために、リテーナ（保持部材）６ａ及び６ｂにより係止突起３ｃ及び３ｄ方向に弾性的に押圧されている。なお、図５では説明を簡単にするため、便宜的に雄側端子２ｃ及び雌側端子２ｄを各１個づつ収納したコネクタ１０及び２０を示したが、通常複数個の端子を並列的、あるいは多段的に収納した形態のコネクタが使用される。またコネクタを構成するハウジング及びリテーナは樹脂製の絶縁部材により構成されている。
【０００４】
このようなコネクタ１０の係合凹部１５にコネクタ２０を挿入、係合すると、図５（ｂ）に示すように、コネクタ２０側の係止爪５とコネクタ１０側の係止穴４とが係止して係合状態が保持されるとともに、係合凹部１５内に突出している雄側端子２ｃの先端部分が雌側端子２ｄの嵌合穴に嵌合して電気的に接続される。
【０００５】
【発明が解決しようとする課題】
このように、従来のコネクタは雄側及び雌側端子を各ハウジング内に収納し、コネクタを係合することにより雄側及び雌側端子を直接嵌合し、電気的接続を行なっているため、接続機構を簡素化するとともに、端子同士の接続箇所を保護することができるという利点がある。しかしながら、このようなコネクタにおいては、雄側端子と雌側端子を直接嵌合させることにより電気的接続を行なっているため、以下のような問題点を有している。
１）コネクタ１０の係合凹部１５内に雄側端子２ｃの先端部分が露出しているため、コネクタ２０の係合時あるいは運搬時等に先端部分がハウジング２１の端面や異物等と物理的に接触して変形や短絡を生じる問題がある。
２）所定の電線端１ａ、１ｂに嵌合可能な一対の雄側及び雌側端子２ｃ、２ｄを対応付けて圧着し、かつ対応するハウジング１１、２１に収納する作業を必要とするため、端子形状の違いによる部品点数の増加、端子の圧着作業効率及びハウジングへの収納作業効率の低下を生じる問題がある。
３）電線数の増加やワイヤーハーネス配索スペースの小型化に対応するため、端子寸法を縮小する場合、雄側及び雌側端子２ｃ、２ｄの嵌合精度を高める必要があり、低コストでの端子の小型化が困難であるという問題がある。
【０００６】
本発明の目的は、上記問題点を解消して、端子が突出して露出することなく、端子の直接接続による変形を防止することができ、コネクタに収納される端子形状を共通かつ小型化して、組み付け作業効率及び省スペース性を向上させたコネクタを提供することにある。
【０００７】
【課題を解決するための手段】
上記の目的を達成するために、請求項１記載の発明は、一導電性線状体の先端に取り付けられた第１の端子を所定の位置に係止して収納する第１の端子収納部と、第１の端子に押圧力を印加して所定の方向へ変位させる第１の押圧作用部と、所定の導電性部材の一部が内面に露出する凹部とを有する第１の結合部材と、他の導電性線状体の先端に取り付けられた第２の端子を所定の位置に係止して収納する第２の端子収納部と、該第２の端子に押圧力を印加して所定の方向へ変位させる第２の押圧作用部と、前記第１の結合部材の凹部に係合する凸部とを有する第２の結合部材と、前記第１の結合部材の凹部と前記第２の結合部材の凸部が係合した際に、前記第１及び前記第２の押圧作用部に共通に作用して、前記第１及び第２の端子を所定の導電性部材に共通に接触するように変位させる押圧部材とを具備したことを特徴としている。
【０００８】
このような構成により、請求項１記載のコネクタでは、一次側及び二次側の電線端に圧着された第１及び第２の端子または端子群が、各々第１及び第２のハウジング内に収納され、第１及び第２のハウジングの係合状態において、押圧部材が第１及び第２の押圧作用部に作用して第１及び第２の端子または端子群を所定の方向に設けられた導電性部材に共通に接触するように変位させる。そのため、第１及び第２のハウジングに収納された第１及び第２の端子または端子群は、押圧部材が第１及び第２の押圧作用部に作用するまで変位することなくハウジング外へ突出することがない。また、第１及び第２の端子または端子群は、押圧部材により変位して導電性部材と電気的に接触する形状を有していれば、形状の制約を受けない。
【０００９】
また、請求項２記載の発明は、請求項１記載のコネクタにおいて、前記押圧部材が、前記第１の押圧作用部にのみ作用する第１の押圧部材と、前記第２の押圧作用部にのみ作用する第２の押圧部材とから構成されていることを特徴としている。
このような構成により、請求項２記載のコネクタでは、押圧部材を第１のハウジング用の第１の押圧部材と第２のハウジング用の第２の押圧部材とに分割して構成したため、第１の押圧部材を第１の押圧作用部に作用させることにより第１の端子または端子群のみが導電性部材に接触するように変位し、第２の押圧部材を第２の押圧作用部に作用させることにより第２の端子または端子群のみが導電性部材に接触するように変位する。そのため、第１及び第２の端子または端子群を個別に導電性部材に接触させることにより各々の導通状態が検査される。
【００１０】
さらに、請求項３記載の発明は、所定の導電性部材の一部が内面に露出し、かつ第１の押圧部材が突出して形成された第１の凹部と、前記所定の導電性部材の他の一部が内面に露出し、かつ第２の押圧部材が突出して形成された第２の凹部とを有する中間結合部材と、一導電性線状体の先端に取り付けられた第１の端子を所定の位置に係止して収納する第１の端子収納部と、前記中間結合部材の第１の凹部に係合する凸部と、該凸部と前記中間結合部材の第１の凹部が係合した際に、前記第１の押圧部材が作用して前記第１の端子を前記所定の導電性部材に接触するように変位させる第１の押圧作用部とを有する第１の結合部材と、他の導電性線状体の先端に取り付けられた第２の端子を所定の位置に係止して収納する第２の端子収納部と、前記中間結合部材の第２の凹部に係合する凸部と、該凸部と前記中間結合部材の第２の凹部が係合した際に、前記第２の押圧部材が作用して前記第２の端子を前記所定の導電性部材に接触するように変位させる第２の押圧作用部とを有する第２の結合部材とを具備したことを特徴としている。
【００１１】
このような構成により、請求項３記載のコネクタでは、一次側及び二次側の電線端に圧着された第１及び第２の端子または端子群が、各々第１及び第２のハウジング内に収納され、これらの第１及び第２のハウジングの各々と中間結合部材との個別の係合状態において、第１の押圧部材が第１の押圧作用部に作用して第１の端子または端子群を導電性部材に接触するように変位させ、第２の押圧部材が第２の押圧作用部に作用して第２の端子または端子群を導電性部材に接触するように変位させる。そのため、第１及び第２の端子または端子群を個別に導電性部材に接触させることにより各々の導通状態が検査され、また第１及び第２のハウジングを同一形状とすることにより部品点数が削減される。
【００１２】
【発明の実施の形態】
以下、本発明を実施例を示して詳しく説明する。
図１は、請求項１に係るコネクタの一実施例を示す図である。
図１（ａ）に示すように、コネクタ１０はハウジング（第１の結合部材）１１の一方側に、所定の電線１ａ端に圧着された端子（第１の端子）２ａを揺動可能に収納するとともに、所定の位置で端子２ａを係止固定する係止突起３ａが設けられた端子収納部（第１の端子収納部）１２と、端子収納部１２に収納された端子２ａを弾性的に押圧する押圧突起（第１の押圧作用部）１３が設けられた押圧部材挿入部１４とが設けられている。また、ハウジング１１の他方側には、後述のコネクタ２０が係合する係合凹部（凹部）１５と、コネクタ２０との係合状態を保持する係止穴４と、押圧部材挿入部１４から貫通する開口部１６とが設けられている。さらに、端子収納部１２の端子２ａが押圧突起１３により押圧され、例えば端子２ａ先端部がハウジング１１外方に変位する位置で一方側の一部が開口露出するとともに、係合凹部１５の所定の位置で他方側の一部が開口露出するように導通部材（導電性部材）１７が延在して埋め込まれている。
【００１３】
コネクタ２０はハウジング（第２の結合部材）２１の外形形状の一部にハウジング１０の係合凹部１５と係合する凸形状を有し、かつコネクタ１０との係合状態を保持する係止爪５が設けられている。ハウジング２１には所定の電線１ｂ端に圧着された端子（第２の端子）２ｂを揺動可能に収納するとともに、所定の位置で端子２ｂを係止固定する係止突起３ｂが設けられた端子収納部（第２の端子収納部）２２と、端子収納部２２に収納された端子２ｂを弾性的に押圧する押圧突起（第２の押圧作用部）２３が設けられた押圧部材挿入部２４とが設けられている。
【００１４】
押圧部材３０はコネクタ１０および２０が係合した状態でコネクタ１０側の押圧部材挿入部１４及び開口部１６を介してコネクタ２０側の押圧部材挿入部２４に至る長さに形成されている。
次に、コネクタ１０及び２０の係合状態と端子１ａ及び１ｂの電気的接続状態との関係を説明する。まず、ハウジング１１の端子収納部１２に端子１ａが収納、係止固定されたコネクタ１０の押圧部材挿入部１４に押圧部材３０が挿入されると、挿入部１４内に突出する押圧突起１３が揺動可能な端子１ａを弾性的に押圧して、例えば先端部分を大きく変位させるとともに、端子１ａ先端部が押圧変位する位置の外方に開口露出する導通部材１７と電気的に接触させる。このとき、押圧部材３０の挿入先端側はハウジング１１の係合凹部１５内に開口部１６を介して突出した状態となっている。また、押圧部材３０は図示していない係止機構により押圧部材挿入部１４に係止固定されている。次いで、ハウジング２１の端子収納部２２に端子２ｂが収納、係止固定されたコネクタ２０をコネクタ１０の係合凹部１５に挿入、係合させると、図１（ｂ）に示すように、係合凹部１５内に突出する押圧部材３０がコネクタ２０側の押圧部材挿入部２４に挿入され、挿入部２４内に突出する押圧突起２３が揺動可能な端子２ｂを弾性的に押圧して、例えば先端部分を大きく変位させるとともに、コネクタ２０の係止爪５がコネクタ１０側の係止穴４に係止して係合状態が保持される。このとき、コネクタ２０の端子２ｂは、端子２ｂ先端部が押圧変位する位置の外方に開口露出する導通部材１７と電気的に接触する。すなわち、コネクタ１０及び２０が係合した状態では、押圧部材３０により端子２ａ及び２ｂが押圧されてそれぞれ外方に変位し導通部材１７に共通に接触することとなり、コネクタ１０側及び２０側が電気的に接続される。
【００１５】
そのため、このような構成によれば、コネクタ１０及び２０のいずれにおいても未係合状態では端子２ａ及び２ｂがハウジング１１及び２１外に突出することはなく、端子２ａ及び２ｂへの異物等の物理的な接触に伴う変形や短絡を防止することができる。また、コネクタ１０及び２０に収納される端子２ａ及び２ｂの形状は、押圧部材３０の挿入により押圧されて少なくとも先端部分が所定の方向へ所定の量だけ変位し、ハウジング１１に埋め込まれた導通部材１７と電気的に接触するものであればよく、一次側と二次側で共通の端子形状とすることができるので、電線端への圧着作業やハウジングへの収納作業を簡略化することができるとともに、部品点数を削減することができるので部品管理を軽減することができる。さらに、端子２ａ及び２ｂを導通部材１７に共通に接触させて電気的接続を行なう構成により、端子同士を直接嵌合接続させる必要がないため、嵌合精度の制約を受けることなく端子の小型化を行なうことができる。
【００１６】
なお、本実施例においては、本発明のコネクタをワイヤーハーネスに適用することを前提としているため、例えばワイヤーハーネスに取り付けたコネクタ１０に押圧部材３０を挿入した状態で出荷し、車両への実装後に電子機器側のコネクタ２０を係合する形態を示したが、コネクタ１０及び２０を係合した後、押圧部材３０を挿入するものであっても良いことはいうまでもない。また、押圧３０の挿入方向として、コネクタ１０側からコネクタ２０側へ挿入する形態を示したが、コネクタ２０の押圧部材挿入部２４を貫通させて、コネクタ２０側からコネクタ１０側へ挿入するものであっても良い。加えて、押圧部材３０の長さは、本実施例のものに限らず少なくともコネクタ１０及び２０の押圧部材挿入部１４及び２４に突出する押圧突起１３及び２３を同時に押圧して端子２ａ及び２ｂを変形あるいは変位させることができる長さであれば良い。さらに、端子の押圧変形の形態として、端子２ａ及び２ｂ全体が端子収納部１２及び２２内で揺動し、先端部が外方に大きく変位するする形態を示したが、端子２ａ及び２ｂの先端部分のみが弾性的に押圧変形する形態であっても良く、押圧部材３０の挿入により少なくとも端子２ａ及び２ｂの一部が導通部材１７と電気的に接触する形態であれば良い。
【００１７】
次に、請求項２に係るコネクタの一実施例を図２に示して説明する。ここで、上述の請求項１の実施例（第１図）と同等の構成については、説明を省略する。
本実施例の特徴は、図２（ａ）に示すように、押圧部材が分割して形成され、押圧部材（第１の押圧部材）３０ａがコネクタ１０に揺動可能に収納、係止固定された端子２ａを押圧して変位させ、また係合凹部１５内に予め突出して形成された押圧部材（第２の押圧部材）３０ｂがコネクタ２０に揺動可能に収納、係止固定された端子２ｂを押圧して変位させる構成を有している。
【００１８】
このような構成において、まずハウジング１１の端子収納部１２に端子２ａが収納、係止固定されたコネクタ１０の押圧部材挿入部１４に押圧部材３０ａが挿入されると、挿入部１４内に突出する押圧突起１３が端子２ａを弾性的に押圧して先端部分を大きく変位させるとともに、端子２ａ先端部が押圧変位する位置の外方に開口露出する導通部材１７と電気的に接触させる。次いで、ハウジング２１の端子収納部２２に端子２ｂが収納、係止固定されたコネクタ２０をコネクタ１０の係合凹部１５に挿入、係合させると、図２（ｂ）に示すように、係合凹部１５内に突出して設けられた押圧部材３０ｂがコネクタ２０側の押圧部材挿入部２４に挿入され、挿入部２４内に突出する押圧突起２３が端子２ｂを弾性的に押圧して先端部分を大きく変位させるとともに、コネクタ２０の係止爪５がコネクタ１０側の係止穴４に係止して係合状態が保持される。このとき、コネクタ２０の端子２ｂは、端子２ｂ先端部が押圧変位する位置の外方に開口露出する導通部材１７と電気的に接触する。すなわち、コネクタ１０及び２０が係合した状態で、端子２ａ及び２ｂの先端部分が導通部材１７に共通に接触することとなり、コネクタ１０側及び２０側が電気的に接続される。
【００１９】
そのため、このような構成によれば、上述した請求項１の実施例（第１図）同様の作用効果が得られるとともに、個別の押圧部材３０ａ及び３０ｂにより各端子２ａ及び２ｂが導通部材１７に独立して接触する構成を有しているため、コネクタにおける端子２ａまたは２ｂと導通部材１７との個別の接触状態を検査することができる。例えば、コネクタ１０及び２０が未係合状態で、コネクタ１０に押圧部材３０ａを挿入することにより、コネクタ１０内での端子２ａと導通部材１７の導通状態を検査することができ、またコネクタ１０及び２０を係合して押圧部材３０ａを未挿入状態とすることにより、コネクタ２０の端子２ｂと導通部材１７との導通状態を検査することができる。すなわち、コネクタ内での導通不良を端子毎に検査することができるので不良箇所の検出を迅速かつ的確に行なうことができる。ここで、コネクタ１０の導通部材１７をハウジング１１の外側に露出させる開口部等を予め形成しておき、検査時のみ開口部を露出させるようにカバーを設ける構成としておけば導通検査が容易となる。
【００２０】
なお、押圧部材３０ａ及び３０ｂの挿入、突出方向として、コネクタ１０側からコネクタ２０側（図面左方向）へ挿入する形態を示したが、押圧部材３０ｂをコネクタ２０の図面左方から挿入するように押圧部材挿入部２４を形成するとともに、コネクタ２０係合側（図面右端面）から押圧部材３０ａを突出して設け、コネクタ２０の係合によりコネクタ１０側の押圧部材挿入部１４へ押圧部材３０ａを挿入する形態であっても良い。
【００２１】
次に、請求項３に係るコネクタの一実施例を図３に示して説明する。ここで、上述した実施例（図１及び図２）と同等の構成については、説明を省略する。
図３（ａ）に示すように、端子２ａが収納、係止固定されるコネクタ２０´が、上記実施例において説明したコネクタ２０と同一の形状及び構成を有している。また、中間コネクタ４０は、ハウジング（中間結合部材）４１にコネクタ２０と係合する係合凹部（第２の凹部）４２ｂと、係合凹部４２ｂ内に突出して設けられた押圧部材（第２の押圧部材）３０ｂと、コネクタ２０´と係合する係合凹部（第１の凹部）４２ａと、係合凹部４２ａ内に突出して設けられた押圧部材（第１の押圧部材）３０ａと、コネクタ２０及び２０´との係合状態を保持する係止穴４及び４´と、コネクタ２０及び２０´との係合状態において各々の端子収納部２２及び２２´に収納された端子２ｂ及び２ａが押圧部材３０ｂ及び３０ａに押圧されて、例えば先端部分が変位する位置の外方に、一方側及び他方側の一部が開口露出するように導通部材４３が延在して埋め込まれている。
【００２２】
このような構成において、例えばハウジング（第２の結合部材）２１の端子収納部２２に端子２ｂが収納、係止固定されたコネクタ２０を、中間コネクタ４０の係合凹部４２ｂに挿入すると、係合凹部４２ｂ内に突出して設けられた押圧部材３０ｂが、コネクタ２０側の押圧部材挿入部２４に挿入され、挿入部２４内に突出する押圧突起２３が端子２ｂを弾性的に押圧して先端部分を大きく外方に変位させるとともに、コネクタ２０の係止爪５がコネクタ４０側の係止穴４に係止して係合状態が保持される。このとき、コネクタ２０の端子２ｂは、端子２ｂ先端部が押圧変位した位置の外方に開口露出する導通部材４３と電気的に接触する。そして、ハウジング（第１の結合部材）２１´の端子収納部２２´に端子２ａが収納、係止固定されたコネクタ２０´を中間コネクタ４０の係合凹部４２ａに同様に挿入すると、図３（ｂ）に示すように、押圧部材３０ａがコネクタ２０´側の押圧部材挿入部２４´に挿入され、端子２ａを弾性的に押圧して先端部分を大きく外方に変位させるとともに、コネクタ２０´の係止爪５´が中間コネクタ４０側の係止穴４´に係止して係合状態が保持される。このとき、コネクタ２０´の端子２ａは、端子２ａ先端部が押圧変位した位置の外方に開口露出する導通部材４３と電気的に接触する。すなわち、中間コネクタ４０にコネクタ２０及び２０´の双方が係合した状態で、端子２ｂ及び２ａがハウジング４１に埋め込まれた導通部材４３に共通に接触することとなり、コネクタ２０側及び２０´側が電気的に接続される。
【００２３】
そのため、このような構成によれば、上述した実施例（図２）同様の作用効果が得られるとともに、一次側及び二次側の電線１ａ及び１ｂに取り付けるコネクタ２０及び２０´を同一形状の部品とすることができるため、部品点数の削減と、組み付け作業の効率化を図ることができる。
なお、上述した実施例では、いずれも押圧部材を押圧部材挿入部へ挿入することにより端子先端部分を押圧変形させる形態を示したが、押圧部材は独立して突出する構成である必要はなく、例えば押圧部材を係合凹部内壁に尾根状に突出させた構成とし、係合するコネクタの凸部外面に尾根に対応する谷部を設け、谷部内に押圧突起に相当し、端子を変位させるように作用する凸部等を設けても良い。また、端子に共通に接触して一次側及び二次側の端子間を電気的に接続する導通部材をインサート成形方法等によりハウジング内に埋め込んだ形態を示したが、ハウジング成型品に導電性部材を装着するものであっても良い。
【００２４】
次に、請求項１、２または３のコネクタにおいて、端子先端部分のみを弾性変形させて、導通部材との電気的接触を得る形態に適用して良好な端子の形状について図４に示して説明する。
図４に示すように、端子２には、電線１の被膜部５１及び導体部５２を固定する電線把持部６１と、ハウジングの端子収納部に突出する係止突起と係止する係止孔６４及び導通部材と電気的に接触するアーチ部６５が設けられた先端部分６２と、電線把持部６１と先端部分６２との間に、先端部分６２が弾性的に変形するように構成された狭部（くびれ部）６３とが設けられている。
【００２５】
このような構成の端子２を用いることにより、コネクタへの押圧部材の挿入に対して、押圧部材挿入部に突出する押圧突起の変形に応じて先端部分６２が狭部６３を中心にして弾性的に変形するとともに、アーチ部６５が導通部材に接触する。ここで、導通部材と接触する端子２の先端部分６２をアーチ状に構成することにより、導通部材と剛的ではなく弾性的に接触させることができ、電気的接続を良好とすることができる。
【００２６】
なお、端子形状は図４に示した形状に限定されるものではなく、押圧部材の挿入部への挿入により、少なくとも導通部材と接触する部分が良好に押圧変形するとともに、導通部材との良好な電気的接触が得られる構造、あるいは図１から図３に示したような端子全体が収納部内で揺動して導通部材との良好な電気的接触が得られる構造であれば他の形態であっても良い。
【００２７】
【発明の効果】
以上説明したように、請求項１の発明によれば、コネクタに収納された端子は、コネクタが未係合状態ではハウジング外に突出して露出することはないため、端子への異物等の物理的な接触に伴う変形や短絡を防止することができる。また、コネクタに収納される端子は、押圧部材により押圧変形あるいは押圧変位してハウジングに埋め込まれた導通部材と良好な接続状態を実現する構成を有していればよいため、全ての端子を共通形状とすることができ、電線端への圧着作業やハウジングへの収納作業を簡略化することができるとともに、部品点数を削減して部品管理を軽減することができる。さらに、端子を導通部材に共通に接触させて電気的接続を行なう構成により、端子同士を直接嵌合接続させる必要がないため、嵌合精度の制約を受けることなく端子の小型化を容易に行なうことができる。
【００２８】
また、請求項２記載のコネクタによれば、上述した作用効果に加え、個別の押圧部材により一次側及び二次側の端子を導通部材に独立して接触させることができるため、コネクタにおける端子と導通部材との導通不良を、接続状態を変えて端子毎に検査することができ、不良箇所の検出を迅速かつ的確に行なうことができる。
【００２９】
さらに、請求項３記載のコネクタによれば、上述した請求項１及び２の作用効果に加え、一次側及び二次側の端子を収納したコネクタを、中間コネクタに個別に係合させることができるため、一次側及び二次側の電線に取り付けるコネクタを同一形状の部品とすることができるため、部品点数を削減して部品管理を一層軽減することができるとともに、端子のハウジングへの収納作業をさらに効率化することができる。
【図面の簡単な説明】
【図１】本発明の請求項１に係るコネクタの一実施例を示す概略構成図である。
【図２】本発明の請求項２に係るコネクタの一実施例を示す概略構成図である。
【図３】本発明の請求項３に係るコネクタの一実施例を示す概略構成図である。
【図４】本発明のコネクタに適用可能な端子形状を示す図である。
【図５】従来のコネクタの一例を示す概略構成図である。
【符号の説明】
１、１ａ、１ｂ          電線
２、２ａ、２ｂ          端子（第１、第２の端子）
２ｃ            雄側端子
２ｄ            雌側端子
３ａ、３ｂ      係止突起
４、４´        係止穴
５、５´        係止爪
６ａ、６ｂ      リテーナ
１０、２０、２０´      コネクタ
１１、２１、２１´      ハウジング（第１、第２の結合部材）
１２、２２、２２´      端子収納部（第１、第２の端子収納部）
１３、２３、２３´      押圧突起（第１、第２の押圧作用部）
１４、２４、２４´      押圧部材挿入部
１５、４２ａ、４２ｂ    係合凹部
１６            開口部
１７、４３      導通部材
３０、３０ａ、３０ｂ    押圧部材
４０            中間コネクタ
４１            ハウジング（中間結合部材）
５１            被覆部
５２            導体部
６１            電線把持部
６２            先端部分
６３            狭部
６４            係止孔
６５            アーチ部
【図１】
0003646436.tif 000002
【図２】
0003646436.tif 000003
【図３】
0003646436.tif 000004
【図４】
0003646436.tif 000005
【図５】
0003646436.tif 000006